(57)【要約】【課題】指を決められた位置に安定して置くことができる静脈スキャナ装置を提供する。【解決手段】本発明による静脈スキャナ装置は、近赤外線ＬＥＤが上部に設置され、ＣＣＤカメラが下部に設置され、指が挿入される開口部に静電容量タッチセンサが設置された撮像本体部の内部に、指を支持する台座が設けられる。台座は、撮像本体部の前後方向にスライド可能で、スライドされた位置が位置検出手段によって検出され、装置前面の液晶表示部に表示される。撮像本体部は、左右両側に支持軸が設けられ、支持軸を中心にして上下に回動されるように構成される。【選択図】図２
2007102587.tif 000002
【特許請求の範囲】
【請求項１】
近赤外線ＬＥＤが上部に設置され、ＣＣＤカメラが下部に設置され、指が挿入される開口部に静電容量タッチセンサが設置された撮像本体部の内部に、指を支持する台座が設けられたことを特徴とする静脈スキャナ装置。
【請求項２】
前記台座は、波形のガイド板に沿って前記撮像本体部の前後方向にスライド可能で、スライドされた後に前記台座から指を離すと、バネによって前記開口部に戻るように構成されるとともに、スライド位置が位置検出手段によって検出され、装置前面の液晶表示部に表示されることを特徴とする請求項１に記載の静脈スキャナ装置。
【請求項３】
前記撮像本体部は、左右両側に設けられた支持軸を中心にして回動されることを特徴とする請求項１に記載の静脈スキャナ装置。
【発明の詳細な説明】
【技術分野】
【０００１】
本発明は、指の静脈パターンを撮像する静脈スキャナ装置に関する。
【背景技術】
【０００２】
指の静脈パターンを利用した個人識別装置が知られている。この装置は、近赤外線を指に照射し透過光をＣＣＤカメラで感知し、あらかじめ登録しておいた静脈パターンと比較することによって識別を行なうものである。（特許文献１参照）
【０００３】
指の静脈スキャナ装置には、パソコンと連結され、パソコンの使用許可を本人のみに与える卓上型のものや、ドアの電気錠と連結され、本人であればドアの解錠を行なうようにした、入り口付近の壁に取り付けられる壁取付け型などがある。いずれも、静脈スキャナ装置の前面に、指を挿入する開口部が設けられ、開口部に続く撮像本体部の上部に近赤外線ＬＥＤがあり、撮像本体部の下側にＣＣＤカメラが設置される構造である。静脈スキャナ装置が読み取った静脈パターンは、認証コントローラで事前に登録された静脈パターンと比較される。
【０００４】
このような静脈スキャナ装置においては、本人であるにもかかわらず、認証されないケースをなくすことが求められている。例えば、夜遅く帰宅してドアが開かないと、管理事務所との間でトラブルが起こることになる。一般に、静脈スキャナ装置に挿入された指は、内部では特に接触するものがない非接触タイプとされている。そのため、静脈スキャナ装置に挿入された指が、登録時の位置になく、指の挿入が、深過ぎるまたは浅過ぎることによって不一致となる。指は、撮像本体部の中で自由に動かせるから、震えたりする場合もある。
【特許文献１】特開平０７−０２１３７３号公報
【発明の開示】
【発明が解決しようとする課題】
【０００５】
本発明は上記問題点を解決するためになされたもので、その目的は、指を決められた位置に安定して置くことができる静脈スキャナ装置を提供することにある。
【課題を解決するための手段】
【０００６】
本発明による静脈スキャナ装置は、近赤外線ＬＥＤが上部に設置され、ＣＣＤカメラが下部に設置され、指が挿入される開口部に静電容量タッチセンサが設置された撮像本体部の内部に、指を支持する台座が設けられたことを特徴とする。
【０００７】
前記台座は、波形のガイド板に沿って前記撮像本体部の前後方向にスライド可能で、スライドされた後に前記台座から指を離すと、バネによって前記開口部に戻るように構成されるとともに、スライド位置が位置検出手段によって検出され、装置前面の液晶表示部に表示されることが好ましい。
【０００８】
前記撮像本体部は、左右両側に設けられた支持軸を中心にして回動されることが好ましい。
【発明の効果】
【０００９】
本発明による請求項１の静脈スキャナ装置によれば、指が挿入される撮像本体部の内部に指を支持する台座を設けたことにより、指の動きを安定させることができる。指を台座に載せて安定させた後、挿入した指の付け根の部分が静電容量タッチセンサに触れると、ＣＣＤカメラによる撮影が開始されるから、安定した静脈パターンを得ることができる。登録された静脈パターンとの不一致をなくすことができる。
【００１０】
本発明の請求項２によれば、台座を前後にスライドできるように構成したので、親指、小指、子供の指など長さが短い場合であっても、指を開口部に戻っている台座に載せ、台座の位置を登録時の位置までスライドさせることができる。台座のスライド位置は、位置検出手段によって検出され、液晶表示部に数字で表示されるから、簡単に登録時の台座の位置に合わせることができる。また、台座は、波形のガイド板に沿ってスライドするので、ガイド板の凹部の位置に停止させることができる。台座は開口部に取り付けられたバネに連結されているので、指を台座から離すと、台座は開口部側に自動的に開口部に戻ることができる。
【００１１】
本発明の請求項３によれば、撮像本体部が左右両側の支持軸を中心にして回動するから、指を曲げたり反らしたりする必要がない。すなわち、壁にドアの開閉用に静脈スキャナ装置が取り付けられた場合、静脈スキャナ装置の取付け位置にもよるが、大人の場合、指は上から斜め下方向に挿入され、子供の場合、指は下から上方向に挿入される。そのため、撮像本体部が回動せず水平のままだと、撮像本体部に対して指の向きが斜めとなる。撮像本体部が回動すれば、指が撮像部に対して平行となって、登録時の条件に合わせることができる。
【発明を実施するための最良の形態】
【００１２】
本発明の実施例を図面によって詳細に説明する。
【実施例１】
【００１３】
図１は、本発明による指の静脈パターンを撮像する静脈スキャナ装置の斜視図である。静脈スキャナ装置１００は、前方ハウジング１と後方ハウジング２からなる。後方ハウジング２は壁の内部に埋め込まれ、前方ハウジング１は壁面から前方に突き出す形状としている。前方ハウジング１には蓋３が設けられる。蓋３を開けて、指を開口部４に挿入し、指の静脈パターンで認証を行なう。蓋３の横には、液晶表示部５が設けられ、表示素子は７個の表示セグメントを有する０〜９の数字が表示可能な素子を使用した。静脈スキャナ装置１００は、ドアの開錠装置と組み合わされて、静脈パターンが認証されれば、ドアを開くようにシステムを組むことができる。
【００１４】
図２は、図１の静脈スキャナ装置の断面図である。静脈スキャナ装置１００は内部に指が挿入される撮像本体部７と静脈パターンの認証を行なう制御ボード１１が設けられる。撮像本体部７の上部左右にそれぞれ１０〜１２個の近赤外線ＬＥＤ１２が配置され、窓１３を介して近赤外線が指に照射される。透過光は、透明板１４を通って、ＣＣＤカメラ１０で撮像される。撮像された画像は、制御ボードに送付され解析される。
【００１５】
撮像本体部７の中央には指を支える台座８があり、図２では、台座８は撮像本体部７の奥にスライドされた状態を示している。台座８は指の先端を支えることができる。台座８の両側には波形のガイド板１５が設けられ、前後にスライド可能である。台座８がスライドされるから、短い指でも長い指でもちょうどよい位置に動かすことができる。指で台座８をスライドさせ、例えば、登録時の深さまで差し込んだら、指の付け根で静電容量タッチセンサ６に軽く触れるまたは押すように触れる操作を行なう。これにより、近赤外線ＬＥＤ１２が発光され、透過光による指の静脈パターンがＣＣＤカメラ１０で撮像される。制御ボード１１での認証はきわめて早いので、静電容量タッチセンサ６の押下でチャイムを鳴らしてＯＫかＮＧかを知らせる、液晶表示の色を変えるようにしてもよい。認証が終了し、指を台座８から離すとバネ９によって、台座８は開口部４側に戻る。液晶表示部５には、このときゼロ（０）が表示される。
【００１６】
図３は台座の斜視図である。台座８は、指の先端の丸みに合わせた切り欠きが設けられている。図３の一点差線Ａで示す断面が、図２に表示されている。なお、台座８には、溝１６が設けられ、ガイド板１５と係合されるが、溝ではなく、突起を設けて係合させてもよい。ガイド板１５は、水平に設けられて台座８と係合させたが、垂直に設けてもよい。
【００１７】
図４は台座とガイド板との関係を示す平面図である。波形のガイド板１５の凹部を押すバネ１７が、台座８の溝１６に埋め込まれている。台座８がスライドされると、バネ１７は、波形のガイド板１５の凸部を押して水平になるが、さらにスライドされると、バネ１７が元の形に戻る。従って、台座８がスライドされると、台座８はガイド板１５の凹部の位置で安定するから、台座８の停止位置ずれを防ぐことができる。また、指が台座８から離されると、台座８はバネ９によって開口部４側に自動的に引き戻される。そのため、ガイド板１５の波形の凹凸は浅くされ、また、バネ１７のガイド板１５を押す力は、バネ９の戻る力より弱く設定される。そして、バネ９の力は指でスライド可能な強さに設定される。なお、ガイド板１５を台座８の両側に設けたが、片側のみとしてもよい。
【００１８】
図５は支持軸が設けられた回動可能な撮像本体部の斜視図である。支持軸１８が撮像本体部７の左右に設けられ後方ハウジングに取り付けられる。これにより、撮像本体部７は、摩擦により回動可能となって、一点鎖線で示すように、水平方向に対して、プラス２０度からマイナス２０度の角度に傾けることができる。指を台座８に載せた状態で力をかけると、台座８が支持軸１８より後方側にあるなら撮像本体部７を時計周りに、支持軸１８より開口部４側にあるなら撮像本体部７を反時計周りに回動させることができる。
【００１９】
図６は、台座の位置検出手段を示す回路図である。台座８には、接点２０が設けられ、他端がグランド（ＧＮＤ）と接続される。一方、ガイド板１５側には７個の接点２１が設けられる。ここでは、波形のガイド板１５には、凹部が７箇所あるとした。図６に示すように、例えば、接点２０が‘２’で表される位置の接点２１と接触すると、このラインの電圧がＶＣＣのレベルからグランドレベルに落ちる。これをエンコーダ１９で検出して、表示が‘２’となるコードを生成するように回路を組む。このコードを液晶表示部５に送付すれば‘２’を表示することができる。他も同様である。これにより、液晶表示部５の値を見ながら、台座８の位置を登録した時の位置に合わせて、静脈スキャナを使用することができる。
【００２０】
なお、卓上形の静脈スキャナ装置では、指が水平になるから、撮像本体部７の回動機構は省略してもよい。
【産業上の利用可能性】
【００２１】
本発明は、指の静脈スキャナに、指を支える台座や回動機構付きの撮像本体部を設けたもので、手のひらの静脈を使う手のひら静脈スキャナ装置などにも、手のひらまたは指の一端を支える台座や、回動機構付きの撮像本体部が適用できる。
【図面の簡単な説明】
【００２２】
【図１】本発明による静脈スキャナ装置の斜視図である。（実施例１）
【図２】図１の静脈スキャナの断面図である。（実施例１）
【図３】台座の斜視図である。
【図４】台座とガイド板との関係を示す平面図である。（実施例１）
【図５】支持軸が設けられた撮像本体部の斜視図である。（実施例１）
【図６】台座の位置検出手段を示す回路図である。（実施例１）
【符号の説明】
【００２３】
１    前方ハウジング
２    後方ハウジング
３    蓋
４    開口部
５    液晶表示部
６    静電容量タッチセンサ
７    撮像本体部
８    台座
９    バネ
１０    ＣＣＤカメラ
１１    制御ボード
１２    近赤外線ＬＥＤ
１３    窓
１４    透明板
１５    ガイド板
１６    溝
１７    バネ
１８    支持軸
１９    エンコーダ
２０、２１    接点
１００    静脈スキャナ装置
【図１】
2007102587.tif 000003
【図２】
2007102587.tif 000004
【図３】
2007102587.tif 000005
【図４】
2007102587.tif 000006
【図５】
2007102587.tif 000007
【図６】
2007102587.tif 000008